(57)【要約】【課題】発光ダイオードと蛍光体との組み合わせから成る光源を用いた高速なデータ通信を可能とする。【解決手段】発光装置１は、青色発光ダイオード１１から出射される青色光と、青色光に蛍光体１２が励起されることにより出射される黄色光とを合成して得られる照明光を出射するとともに、データ信号に従って青色発光ダイオード１１を駆動するための電気信号を変調する。受信装置２は、合成光を受光して電気信号に変換し、変換した電気信号をデータ信号に復調する。発光装置１には、電気信号に含まれる蛍光体１２の周波数成分を除去するための符号化回路１５が設けられている。【選択図】図１
2011211364.tif 000002
【特許請求の範囲】
【請求項１】
発光ダイオードから出射される光と、前記光に蛍光体が励起されることにより出射される少なくとも１色の光とを合成して得られる合成光を出射するとともに、データ信号に従って前記発光ダイオードを駆動するための電気信号を変調する発光装置と、
前記合成光を受光して電気信号に変換し、変換した電気信号をデータ信号に復調する受信装置と、
を備え、
前記発光ダイオードを駆動するための電気信号と、前記合成光から変換された電気信号のいずれか一方に含まれる前記蛍光体のスペクトル成分を除去するフィルタが設けられている、
ことを特徴とする光通信システム。
【請求項２】
前記発光装置は、
前記フィルタとして、変調された前記電気信号を、ｍＢｎＢ符号を用いて符号化する符号化部を有し、
前記受信装置は、
前記合成光から変換された前記電気信号を復号化する復号化部を備える、
ことを特徴とする請求項１に記載の光通信システム。
【請求項３】
前記ｍＢｎＢ符号は、バイフェーズ符号である、
ことを特徴とする請求項２に記載の光通信システム。
【請求項４】
前記受信装置は、
前記フィルタとして、
前記合成光から変換された電気信号に含まれる所定の周波数以下の成分を除去する高域通過フィルタを備える、
ことを特徴とする請求項１乃至３のいずれか一項に記載の光通信システム。
【請求項５】
前記発光ダイオードから出射される光は青色光であり、前記蛍光体から出射される光は黄色光である、
ことを特徴とする請求項１乃至４のいずれか一項に記載の光通信システム。
【請求項６】
前記発光ダイオードから出射される光は青色光であり、前記蛍光体から出射される光は赤色光及び緑色光である、
ことを特徴とする請求項１乃至４のいずれか一項に記載の光通信システム。
【請求項７】
前記発光ダイオードから出射される光は近紫外線であり、前記蛍光体から出射される光は赤色光、緑色光及び青色光である、
ことを特徴とする請求項１乃至４のいずれか一項に記載の光通信システム。
【請求項８】
発光ダイオードから出射される光と、前記光に蛍光体が励起されることにより出射される少なくとも１色の光とを合成して得られる合成光を出射する光源と、
データ信号に従って前記発光ダイオードを駆動するための電気信号を変調する変調部と、
前記変調部によって変調された前記電気信号をｍＢｎＢ符号に符号化する符号化部と、
を備える発光装置。
【請求項９】
請求項８に記載の発光装置から出射される合成光を用いて照明を行う照明装置。
【請求項１０】
請求項８に記載の発光装置が、表示面に複数配列された表示部と、
複数の前記発光装置の発光状態を制御して、情報を前記表示面に表示させるとともに、前記データ信号を前記各発光装置に入力する制御部と、
を備える表示装置。
【請求項１１】
請求項８に記載の発光装置が、標示面に複数配列された標示部と、
複数の前記発光装置の発光状態を制御して、情報を前記標示面に標示させるとともに、前記データ信号を前記各発光装置に入力する制御部と、
を備える標示装置。
【請求項１２】
発光ダイオードから出射される光と、前記光に蛍光体が励起されることにより出射される少なくとも１色の光とを合成して得られる合成光を出射するとともに、データ信号に従って前記発光ダイオードを駆動するための電気信号を変調する発光工程と、
前記合成光を受光して電気信号に変換し、変換した電気信号をデータ信号に復調する受信工程と、
を含み、
前記発光工程において前記発光ダイオードを駆動するための電気信号に含まれる前記蛍光体の周波数成分を、フィルタを用いて除去するか、前記受信工程において前記合成光から変換された電気信号に含まれる前記蛍光体の周波数成分を、フィルタを用いて除去する、
ことを特徴とする光通信方法。
【発明の詳細な説明】
【技術分野】
【０００１】
本発明は、単色ＬＥＤ（Light Emitting Diode）と蛍光体とから成る擬似白色ＬＥＤ等の光源を用いて光通信を行う光通信システム、発光装置、照明装置、表示装置、標示装置及び光通信方法に関する。
【背景技術】
【０００２】
白色ＬＥＤには、大別して、赤色ＬＥＤ、緑色ＬＥＤ、青色ＬＥＤを用いた３原色白色光源の他に、単色ＬＥＤと蛍光体との組み合わせから成る擬似白色ＬＥＤがある。擬似白色ＬＥＤ等の光源は、近年その特性が大きく向上しており、かつ、製造コスト等が低減しているため、その適用領域が急拡大している。
【０００３】
一方では、照明光を用いて、データ通信を行う照明光通信装置が開示されている（例えば特許文献１参照）。
【先行技術文献】
【特許文献】
【０００４】
【特許文献１】特開２００３−３１８８３６号公報
【発明の概要】
【発明が解決しようとする課題】
【０００５】
上記特許文献１に記載された照明光通信装置のように、３原色ＬＥＤの合成光により照明及び通信を行う装置は数多く提案されているが、その特許文献１にも記載されているように、擬似白色ＬＥＤ等の発光ダイオードと蛍光体との組み合わせから成る光源は、蛍光体の応答速度の遅さにより、受信したデータの復元性が低くなるため、高速変調によるデータ通信には不向きであるとされていた。
【０００６】
本発明は、上記実情に鑑みてなされたものであり、発光ダイオードと蛍光体との組み合わせから成る光源を用いた高速なデータ通信を可能とする光通信システム、発光装置、照明装置、表示装置、標示装置及び光通信方法を提供することを目的とする。
【課題を解決するための手段】
【０００７】
上記目的を達成するために、本発明の第１の観点に係る光通信システムは、
発光ダイオードから出射される光と、前記光に蛍光体が励起されることにより出射される少なくとも１色の光とを合成して得られる合成光を出射するとともに、データ信号に従って前記発光ダイオードを駆動するための電気信号を変調する発光装置と、
前記合成光を受光して電気信号に変換し、変換した電気信号をデータ信号に復調する受信装置と、
を備え、
前記発光ダイオードを駆動するための電気信号と、前記合成光から変換された電気信号のいずれか一方に含まれる前記蛍光体のスペクトル成分を除去するフィルタが設けられている。
【０００８】
この場合、前記発光装置は、
前記フィルタとして、変調された前記電気信号を、ｍＢｎＢ符号を用いて符号化する符号化部を有し、
前記受信装置は、
前記合成光から変換された前記電気信号を復号化する復号化部を備える、
こととしてもよい。
【０００９】
この場合、前記ｍＢｎＢ符号は、バイフェーズ符号である、
こととしてもよい。
【００１０】
また、前記受信装置は、
前記フィルタとして、
前記合成光から変換された電気信号に含まれる所定の周波数以下の成分を除去する高域通過フィルタを備える、
こととしてもよい。
【００１１】
また、前記発光ダイオードから出射される光は青色光であり、前記蛍光体から出射される光は黄色光である、
こととしてもよい。
【００１２】
また、前記発光ダイオードから出射される光は青色光であり、前記蛍光体から出射される光は赤色光及び緑色光である、
こととしてもよい。
【００１３】
また、前記発光ダイオードから出射される光は近紫外線であり、前記蛍光体から出射される光は赤色光、緑色光及び青色光である、
こととしてもよい。
【００１４】
本発明の第２の観点に係る発光装置は、
発光ダイオードから出射される光と、前記光に蛍光体が励起されることにより出射される少なくとも１色の光とを合成して得られる合成光を出射する光源と、
データ信号に従って前記発光ダイオードを駆動するための電気信号を変調する変調部と、
前記変調部によって変調された前記電気信号をｍＢｎＢ符号に符号化する符号化部と、
を備える。
【００１５】
本発明の第３の観点に係る照明装置は、
本発明の発光装置から出射される合成光を用いて照明を行う。
【００１６】
本発明の第４の観点に係る表示装置は、
本発明の発光装置が、表示面に複数配列された表示部と、
複数の前記発光装置の発光状態を制御して、情報を前記表示面に表示させるとともに、前記データ信号を前記各発光装置に入力する制御部と、
を備える。
【００１７】
本発明の第５の観点に係る標示装置は、
本発明の発光装置が、標示面に複数配列された標示部と、
複数の前記発光装置の発光状態を制御して、情報を前記標示面に標示させるとともに、前記データ信号を前記各発光装置に入力する制御部と、
を備える。
【００１８】
本発明の第６の観点に係る光通信方法は、
発光ダイオードから出射される光と、前記光に蛍光体が励起されることにより出射される少なくとも１色の光とを合成して得られる合成光を出射するとともに、データ信号に従って前記発光ダイオードを駆動するための電気信号を変調する発光工程と、
前記合成光を受光して電気信号に変換し、変換した電気信号をデータ信号に復調する受信工程と、
を含み、
前記発光工程において前記発光ダイオードを駆動するための電気信号に含まれる前記蛍光体の周波数成分を、フィルタを用いて除去するか、前記受信工程において前記合成光から変換された電気信号に含まれる前記蛍光体の周波数成分を、フィルタを用いて除去する、
ことを特徴とする。
【発明の効果】
【００１９】
本発明によれば、発光ダイオードを駆動するための電気信号か、受光された合成光に相当する電気信号のいずれかから、蛍光体の周波数成分が除去される。これにより、データ信号の復元元である電気信号のスペクトル成分の包絡線のうねりを除去することができるので、受信装置におけるデータ信号の復元性を高めることができる。この結果、発光ダイオードと蛍光体との組み合わせから成る光源を用いた高速なデータ通信が可能となる。
【図面の簡単な説明】
【００２０】
【図１】本発明の第１の実施形態に係る光通信システムの構成を示すブロック図である。
【図２】図２（Ａ）は、符号化回路による電圧信号の符号化を行わずに、青色発光ダイオードを点滅させた場合の光源の周波数応答の一例を示すグラフである。図２（Ｂ）は、その周波数応答に含まれるスペクトル成分を説明するためのグラフである。
【図３】図３（Ａ）は、符号化される前の電圧信号の信号波形の一例であり、図３（Ｂ）は、バイフェーズ符号により符号化された後の電圧信号の信号波形の一例である。
【図４】ＮＲＺ符号とバイフェーズ符号との電力スペクトルを示すグラフである。
【図５】光源から出射される擬似白色光のスペクトル成分の一例を示すグラフである。
【図６】本発明の第２の実施形態に係る光通信システムの構成を示すブロック図である。
【図７】高域通過フィルタから出力される電圧信号のスペクトル成分の一例を示すグラフである。
【図８】本発明の第３の実施形態に係る光通信システムの構成を示す模式図である。
【発明を実施するための形態】
【００２１】
この発明の実施の形態について、図面を参照して詳細に説明する。
【００２２】
（第１の実施形態）
まず、本発明の第１の実施形態について説明する。
【００２３】
図１には、本実施形態に係る光通信システム１００の構成が示されている。図１に示すように、光通信システム１００は、発光装置１と、受信装置２とを備える。
【００２４】
発光装置１は、例えば室内の天井等に設置され、室内を照明する照明装置である。発光装置１は、光源１０を備える。光源１０は、青色発光ダイオード１１と、蛍光体１２とを備える。
【００２５】
青色発光ダイオード１１は、青色光（例えば波長が約４５０ｎｍの光）を出射する。蛍光体１２は、青色発光ダイオード１１から出射された青色光によって励起され、黄色光（例えば波長が約５８０ｎｍの光）を発生させる。
【００２６】
青色発光ダイオード１１から出射された青色光と、蛍光体１２から出射された黄色光は合成され、その合成光として擬似的な白色光が光源１０から出射される。発光装置１は、この擬似白色光を用いて室内を照明する。
【００２７】
この照明を行うため、発光装置１は、駆動回路１３をさらに備える。駆動回路１３は、不図示の電源から印加される電圧に基づいて、青色発光ダイオード１１に駆動電流を流すことにより青色発光ダイオード１１を発光させる。この結果、擬似白色光が光源１０から出射される。
【００２８】
発光装置１は、駆動回路１３の前段に、変調回路１４及び符号化部１５をさらに備える。
【００２９】
変調回路１４は、不図示の電源から印加される電圧信号を入力し、データ信号に基づいて電圧信号を変調して、符号化回路１５に出力する。
【００３０】
図２（Ａ）には、後述する符号化回路１５による電圧信号の符号化を行わずに、青色発光ダイオード１１を点滅させた場合の光源１０の周波数応答の一例が示されている。図２（Ａ）に示すように、この周波数応答の包絡線には、低域から高域にかけてうねりが生じている。このうねりは、光源１０からの合成光を受光してデータ信号の復調を行う際に、データ信号の復元性を著しく低下させる原因となる。
【００３１】
図２（Ｂ）には、図２（Ａ）に示す周波数応答に含まれる各種スペクトル成分が示されている。図２（Ｂ）に示すように、この周波数応答には、青色発光ダイオード１１によるスペクトル成分と、蛍光体１２によるスペクトル成分とが含まれている。
【００３２】
青色発光ダイオード１１によるスペクトル成分は、蛍光体１２によるスペクトル成分に対して、より高域までフラットとなっている。これに対し、蛍光体１２によるスペクトル成分は、青色発光ダイオード１１によるスペクトル成分よりも、低域においてその振幅比が大きくなっている。この２つのスペクトル成分のため、全体の周波数応答の包絡線にうねりが生じているのである。
【００３３】
符号化回路１５は、このうねりによるデータ信号の復元性低下を防止するために設けられている。符号化回路１５は、変調回路１４で変調された電圧信号をデータ信号として入力し、そのデータ信号を符号化する。この符号化には、バイフェーズ符号が用いられる。バイフェーズ符号とは、伝送すべき２値信号に対してそれぞれビットの中央で立ち上がり及び立ち下がりを持たせる符号である。
【００３４】
図３（Ａ）には、符号化される前の電圧信号の信号波形の一例が示されており、図３（Ｂ）には、バイフェーズ符号により符号化された後の電圧信号の信号波形の一例が示されている。図３（Ｂ）に示すように、このバイフェーズ符号では、”１”を示す信号は、ローレベル→ハイレベルと遷移し、”０”を示す信号は、ハイレベル→ローレベルと遷移する。このように、バイフェーズ符号化により、１ビット分に相当する電圧信号が２ビット分の電圧信号に変換される。図３（Ｂ）に示すバイフェーズ符号は、マンチェスター符号とも呼ばれる。
【００３５】
図３（Ａ）に示すように、符号化される前の電圧信号は、いわゆるＮＲＺ（Non Return to Zero）符号となっている。図４には、ＮＲＺ符号の電圧信号と、バイフェーズ符号の電圧信号との電力スペクトルが示されている。図４に示すグラフでは、横軸は、基準周波数ｆ／ｆ0を示しており、縦軸が基準化電力スペクトルを示している。図４に示すように、ＮＲＺ符号の電圧信号と、バイフェーズ符号の電圧信号との電力スペクトルを比較すると、ＮＲＺ符号では、直流成分が最大で１．０あるのに対し、バイフェーズ符号では、直流成分が含まれておらず、０．０である。
【００３６】
本実施形態では、この変調され、バイフェーズ符号化された電圧信号に従って、駆動回路１３の内部に設けられたトランジスタ（変調された電圧がベース電圧として入力されるトランジスタ）がオンオフして、青色発光ダイオード１１に流れる駆動電流が変調され、青色発光ダイオード１１が点滅する。
【００３７】
この青色発光ダイオード１１の点滅により、蛍光体１２から発せられる黄色光の強度も変動する。この結果、それらの合成光である擬似白色光の強度が変動する。この変動の速度は非常に高速であるため、人間によって知覚されることはない。
【００３８】
図１に戻り、受信装置２は、室内に設置された家電機器や通信機器などに設けられている。
【００３９】
受信装置２は、光電気変換器（Ｏ／Ｅ）２０と、復号化回路２１と、復調回路２２とを備える。光電気変換器２０は、シリコンフォトダイオード（不図示）を受光素子として有し、光源１０から出射された擬似白色光を受光素子で受光し、受光した擬似白色光を電流信号に変換する。復号化回路２１は、その電流信号に基づく電圧信号を復号化する。復調回路２２は、復号化された電気信号に基づいてデータ信号を復調して出力する。
【００４０】
次に、本実施形態に係る光通信システム１００の動作について説明する。
【００４１】
不図示の電源スイッチがオンになり、変調回路１４で変調され符号化回路１５により符号化された電圧信号が駆動回路１３に印加されると、駆動回路１３は、その電圧信号に基づいて青色発光ダイオード１１を駆動する。データ信号が変調回路１４に入力されていない状態では、青色発光ダイオード１１を流れる駆動電流は一定となり、光源１０は、一定の光量で室内を照明する。
【００４２】
不図示の上位装置からデータ信号が入力されると、変調回路１４は、符号化回路１５に印加される電圧をデータ信号に従って変調する。これにより、青色発光ダイオード１１には、変調された駆動電流が流れ、青色発光ダイオード１１から出射される青色光の強度が変調される。この変調により蛍光体１２で発生する黄色光の強度も変調され、最終的に、擬似白色光の強度が変調されるようになる。光源１０から出射される擬似白色光の強度変調は、人間の眼では知覚できないほど高速なので、光源１０は、依然として、白色光源として室内を照明し続けることができる。
【００４３】
受信装置２の光電気変換器２０は、光源１０から発せられる擬似白色光を受光し、その受光した擬似白色光の強度に応じた電流信号を出力する。復号化回路２１は、その電流信号をバイフェーズ符号からＮＲＺ符号に復号化して、ＮＲＺ符号の電圧信号として出力する。復調回路２２は、その電圧信号に基づいてデータ信号を復調する。復調回路２３で復調されたデータ信号は、家電機器又は通信機器に出力され、例えば、それらの制御に用いられる。
【００４４】
図５には、光源１０から発せられる擬似白色光のスペクトル成分が示されている。図５において、実線は、符号化回路１５によりバイフェーズ符号化を行った場合の擬似白色光のスペクトル成分を示しており、破線は、符号化回路１５によりバイフェーズ符号化を行わなかった場合の擬似白色光のスペクトル成分を示している。
【００４５】
上述のように、バイフェーズ符号化により、１ビット分のデータ信号が２ビット分のデータ信号に変換されて、直流成分が０になる（図３参照）。このため、符号化回路１５でバイフェーズ符号化を行うことにより、図５に示すように、擬似白色光のスペクトル成分では、低い周波数帯域の成分、すなわち蛍光体１２によるスペクトル成分に相当する成分が低減される。これにより、擬似白色光のスペクトル成分の包絡線に含まれるうねりを除去することができるので、受信回路２において復調されるデータ信号の復元性の低下を防止することができる。
【００４６】
なお、本実施形態では、符号化に用いるバイフェーズ符号を、マンチェスター符号（ダイパルス符号）としたが、ＣＭＩ（Coded Mark Inversion Code）符号を採用してもよいし、ＤＭＩ（Differential Mode Inversion Code）符号を採用してもよい。
【００４７】
なお、本実施形態では、バイフェーズ符号により電圧信号を符号化したが、本発明はこれには限られない。３Ｂ４Ｂ符号や、６Ｂ７Ｂ符号等のｍＢｎＢ符号により電圧信号を符号化してもよい。
【００４８】
ｍＢｎＢ符号とは、ｍビットのデータ信号からｎビットのデータ信号に符号化された符号であり、ｍ＜ｎである。バイフェーズ符号は、１Ｂ２Ｂ符号である。これらｍＢｎＢ符号は、いずれも原信号の低周波成分を除去するのに有効である。
【００４９】
ｍとｎの値は、光源１０や、光電気変換器２０の間のデータの転送速度に応じて適宜決定することができる。ｍとｎとの比ｎ／ｍが大きければ大きいほど、高い転送速度が要求されるようになる。逆に言えば、蛍光体１２のスペクトル成分を十分に除去できるのであれば、装置の転送能力の限界を考慮すると、比ｎ／ｍは、できるだけ小さい方が望ましいといえる。
【００５０】
以上詳細に説明したように、本実施形態によれば、青色発光ダイオード１１を駆動するための電圧信号から、蛍光体１２の周波数成分が除去される。これにより、データ信号の復元元の電圧信号のスペクトル成分の包絡線に含まれるうねりを除去することができるので、受信装置２におけるデータの復元性を高めることができる。この結果、青色発光ダイオード１１と蛍光体１２とを組み合わせた光源１０（擬似白色ＬＥＤ）を用いた高速なデータ通信が可能となる。
【００５１】
（第２の実施形態）
次に、本発明の第２の実施形態について説明する。
【００５２】
図６には、本実施形態に係る光通信システム１００の構成が示されている。図６に示すように、光通信システム１００は、発光装置１と、受信装置２とを備える。
【００５３】
図６に示すように、発光装置１は、符号化回路１５を備えていない。これにより、発光装置１では、変調回路１４によって変調された電圧信号がそのまま駆動回路１３に入力されて、その電圧信号に従って青色発光ダイオード１１が変調され、最終的に光源１０から出射される擬似白色光の強度が変調される。
【００５４】
本実施形態では、青色発光ダイオード１１を駆動する電圧信号がｍＢｎＢ符号で符号化されていないので、図７に点線で示すように、擬似白色光のスペクトル成分は、その包絡線にうねりが生じたままとなる。
【００５５】
本実施形態では、受信装置２は、復号化回路２１に代えて、高域通過フィルタ２３が設けられている。図７では、この高域通過フィルタ２３の周波数応答が、一点鎖線で示されている。高域通過フィルタ２３が合成光から変換された電流信号に含まれる所定の周波数（カットオフ周波数）ｆｃ以下の成分を除去する。このカットオフ周波数ｆｃは、図２（Ａ）に示す青色発光ダイオード１１を点滅させた場合の光源１０の周波数応答の包絡線が、蛍光体１２によるスペクトル成分のものから、青色発光ダイオード１１によるスペクトル成分のものに移行する周波数とほぼ同等の周波数に設定されている。
【００５６】
図７では、復調回路１３において復調される電圧信号のスペクトル成分が実線で示されている。図７に示すように、高域通過フィルタ２３により、電圧信号の周波数成分のうち、蛍光体１２によるスペクトル成分が低減され、その包絡線は、広い帯域でフラットとなっている。これにより、復調回路２２で復調されるデータ信号の復元性の低下が防止される。
【００５７】
以上詳細に説明したように、本実施形態によれば、受光された合成光から変換された電圧信号から、蛍光体１２のスペクトル成分が除去される。これにより、データ信号の復元元の電圧信号のスペクトル成分を低域から高域に渡ってフラットにすることができるので、受信装置２におけるデータ信号の復元性を高めることができる。この結果、青色発光ダイオード１１と蛍光体１２とを組み合わせから成る光源１０を用いた高速なデータ通信が可能となる。
【００５８】
（第３の実施形態）
次に、本発明の第３の実施形態について説明する。
【００５９】
本実施形態に係る光通信システム１００は、図８に示すように、表示装置５０と、受光装置２とを備える。表示装置５０は、表示部４０と、制御部４１とを備える。
【００６０】
表示部４０の表示画面には、発光装置１が多数配列されている。１つ１つの発光装置１がこの表示画面の画素を構成している。発光装置１及び受信装置２の回路構成は、図１に示すものであってもよいし。図６に示すものであってもよい。
【００６１】
制御部４１は、表示部４０の表示画面上に発光装置１のそれぞれの発光状態を制御して、画像や文字情報を表示画面に表示させる。
【００６２】
制御部４１は、この画像表示に加え、データ信号を発光装置１の変調回路１４に入力して、青色発光ダイオード１１を駆動するための電圧信号を変調させる。
【００６３】
受光装置２は、受光した合成光の強度の変動を検出して、データ信号を復調する。
【００６４】
上記第１、第２の実施形態と異なり、この光通信システム１００では、各発光装置１から取捨される合成光の強度が、表示される画像に従って随時変化する。しかしながら、この画像による発光装置１の合成光の強度変化の周波数は、データ通信による強度変調の周波数よりも極めて低いので、画像の変化による光の強度の変化分を除去して、データ信号だけを抽出することは十分に可能である。
【００６５】
なお、画像等を標示する表示装置５０に代えて、発光装置１が標示面に複数設けられ、複数の発光装置１の発光により、標識や広告等を標示する標示装置を備えるようにしてもよい。
【００６６】
なお、上記各実施形態では、青色発光ダイオード１１と蛍光体１２との組み合わせから成る光源１０を採用したが、本発明はこれには限られない。発光ダイオードから出射される光により、蛍光体がその光とは異なる光を発光し、２つ以上の光の合成光が出射される光源であれば、本発明を適用することができる。
【００６７】
例えば、光源１０に代えて、青色発光ダイオードと、青色発光ダイオードから出射される青色光に励起されて赤色光を発生させる蛍光体と、青色光に励起されて緑色光を発生させる蛍光体とを備え、青色光、赤色光、緑色光の合成光を出射する光源を用いるようにしてもよい。このような光源は、いわゆる高演色型の擬似白色ＬＥＤとも呼ばれるものである。この場合にも、発光ダイオードから出射される青色光と、２つの蛍光体から出射される赤色光、緑色光とにより、スペクトル成分の包絡線にうねりが生じるようになるので、本発明を適用すれば、データ信号の復元性を高めることができる。
【００６８】
また、光源１０に代えて、近紫外線（例えば３００ｎｍ〜４００ｎｍの波長の光）の光を発光する発光ダイオードと、発光ダイオードから出射される近紫外線に励起されて赤色光を発生させる蛍光体と、近紫外線に励起されて緑色光を発生させる蛍光体と、近紫外線に励起されて緑色光を発生させる蛍光体とを備え、蛍光体から出射された赤色光、緑色光、青色光の合成光を出射する光源を用いるようにしてもよい。
【００６９】
この光源では、上記合成光が出射されるが、それとともに発光ダイオードからの近紫外線も出射される。したがって、近紫外線を変調すれば、近紫外線と、赤色光、緑色光、青色光との合成光が変調されて出力され、受信装置でこれを受光して復調すれば、データ通信が可能となる。なお、この場合、受信装置では、受光素子として、３００ｎｍ〜４００ｎｍの波長の光に対して感度があるもの（例えば、シリコンフォトダイオード）を用いる必要がある。
【００７０】
この場合にも、発光ダイオードから出射される近紫外線と、３つの蛍光体から出射される赤色光、緑色光、青色光とにより、スペクトル成分の包絡線にうねりが生じるようになるので、本発明を適用すれば、データ信号の復元性を高めることができる。
【００７１】
このように、擬似白色ＬＥＤに限らず、発光ダイオードから出射される光と、蛍光体から出射される光との両方が出射される光源であれば、本発明を適用することができる。
【００７２】
なお、変調回路１４、符号化回路１５、復号化回路２１、復調回路２２は、高域通過フィルタ２３は、電気回路で構成してもよいし、ソフトウエアで構成してもよい。
【００７３】
このような光通信システムは、そのユビキタス性や環境影響面での優位性から今後あらゆる場所で用いられることが予想される。例えば、屋内外でのＬＡＮ（Local Area Network）にこのシステムを適用することができる。また、信号機と車輌間の路車間通信等にこのシステムを適用することも可能である。
【産業上の利用可能性】
【００７４】
本発明は、発光ダイオードと蛍光体とを組み合わせた光源を用いた照明装置、表示装置、標示装置等を用いた光通信に好適である。
【符号の説明】
【００７５】
１  発光装置
２  受信装置
１０  光源
１１  青色発光ダイオード
１２  蛍光体
１３  駆動回路
１４  変調回路
１５  符号化回路
２０  光電気変換器
２１  復号化回路
２２  復調回路
２３  高域通過フィルタ
４０  表示部
４１  制御部
５０  表示装置
１００  光通信システム
【図１】
2011211364.tif 000003
【図２】
2011211364.tif 000004
【図３】
2011211364.tif 000005
【図４】
2011211364.tif 000006
【図５】
2011211364.tif 000007
【図６】
2011211364.tif 000008
【図７】
2011211364.tif 000009
【図８】
2011211364.tif 000010